(57)【要約】【課題】レンズ鏡筒の突出により可動鏡筒が撓んでもズーム位置を的確に検出し、またフォーカス初期位置がずれることのないようにしたズームカメラを提供する。【解決手段】固定筒１８の外周面に合わせた円弧形状をしており、ファインダ駆動用カム３４を一体に取り付けるための基板４４にコード板４６が設けられている。コード板４６には、導電部４６ａと非導電部４６ｂとの組み合わせによって、レンズ鏡胴３の位置を表すビット情報が記されている。コード板４６に接触するブラシ部材４８がズームファインダ装置１４に設けられており、ファインダ駆動用カム３４の回動にしたがってコード板４６が回動すると、ブラシ部材４８との相対位置に応じたビット情報がブラシ部材４８を介してＣＰＵに出力される。【選択図】        図２
2004302330.tif 000002
【特許請求の範囲】
【請求項１】
ズーム操作に応答してモータを駆動し、このモータの回転により変倍鏡筒を駆動して撮影レンズのズーミング及びフォーカシングを行うとともに、ファインダ中の一部のレンズを光軸方向に移動させるカム板を移動してファインダのズーミングを行うようにしたズームカメラにおいて、
撮影レンズのズーミング及びフォーカシングを行ったときに、互いに摺接しながら相対的に移動するエンコード板とブラシとからズーム位置検出装置を構成し、エンコード板又はブラシの一方を前記カム板に一体に固着したことを特徴とするズームカメラ。
【請求項２】
前記変倍鏡筒がカメラボディに固定された固定筒の内部で光軸を中心に回動して撮影レンズのズーミング及びフォーカシングが行われ、前記エンコード板を固着したカム板が前記固定筒の外周面に沿って光軸を中心とする回転方向に移動することを特徴とする請求項１記載のズームカメラ。
【発明の詳細な説明】
【０００１】
【発明の属する技術分野】
本発明はズームカメラに関し、詳しくは撮影レンズのズーム位置検出用のエンコード板の組み込み位置を改善したズームカメラに関するものである。
【０００２】
【従来の技術】
【特許文献１】
特開平２−７９００９号公報
【特許文献２】
特開２００１−４２２０３号公報
【特許文献３】
特開平１０−１８６４８０号公報
【０００３】
最近の写真カメラやデジタルカメラのほとんどは撮影レンズとしてズームレンズを備え、モータの駆動によって変倍鏡筒を移動させてズーミングが行われるようになっている。そして、そのズーム位置に応じてフォーカス時のレンズの移動量を変えたり、あるいはＦ値の変化に伴う露出補正を行うために、撮影レンズのズーム位置検出装置が設けられている。
【０００４】
ズーム位置検出装置には、一般にエンコード板とこれに摺接するブラシとが用いられている。ズーミング時に光軸方向に移動する変倍鏡筒をもつものでは、光軸方向に延びたエンコード板が用いられ、変倍鏡筒の移動によりブラシとの摺接位置を相対的に変化させながらズーム位置の検出を行っている（特許文献１参照）。また、ズーミング時に光軸を中心に回転する変倍鏡筒をもつものでは、例えば変倍鏡筒の外周面に円周方向に延びるようにエンコード板が固定され、変倍鏡筒が回転したときにブラシとの摺接位置を変化させてズーム位置の検出を行っている（特許文献２参照）。変倍鏡筒の移動や回転によりブラシとエンコード板との相対的な摺接位置が変わると、ブラシからは抵抗値の変化に伴う信号電圧や、二値化された複数ビット分のデジタル信号が得られ、これに基づいてズーム位置を電気的に識別することができる。
【０００５】
撮影レンズのズームレンズ化に伴い、光学ファインダにもズーミング機能が必要となる。このため、ファインダを構成する一部のレンズは、撮影レンズのズーミングに連動して光軸方向に移動するようになっている。ファインダのズーミング機構としては、その組み込みスペースなどの点で、撮影レンズのズーミングに連動して変位する一枚のカム板が多用されている。
【０００６】
【発明が解決しようとする課題】
上述のように、従来のズーム位置検出装置では、変倍鏡筒とカメラボディとの間でズーム位置の検出が行われているが、ズーム比が大きくなるとズーミングによる変倍鏡筒の進退移動量や回転量も大きくなり、レンズ鏡筒の突出量も大きくなる。ズーム機能を持ったレンズ鏡筒は、複数の可動鏡筒がヘリコイドやカムによって連結されているため、レンズ鏡筒の突出量が大きくなってその先端部に加わる荷重が増してくると、可動鏡筒の連結部分でのガタによりレンズ鏡筒全体がわずかながら撓み、その影響が変倍鏡筒を介してエンコード板とブラシとの摺接部にも及ぶようになる。そして、撮影姿勢を変えたときや振動が加わったときなどには、荷重の方向が変動することに伴ってエンコード板とブラシとの摺接位置が変化することがある。特に、ズーム駆動カム領域とフォーカス駆動カム領域とを交互に連結することにより単一のモータによってズーミング及びフォーカシングを行う、所謂ステップズーム方式のカメラで、ズーム位置をエンコード板とブラシとにより複数ビット分の二値化信号の組み合わせで検出するものでは、鏡筒の停止位置がいずれかのビット位置で二値化信号が切り替わる位置に接近しているような場合に、わずかな荷重変動でも摺接位置が変化して信号が切り替わるタイミングがずれてしまい、フォーカス初期位置（基準位置）がずれることによって所謂ピントの甘い撮影となってしまうおそれが生じてくる。
【０００７】
本発明は上記背景を考慮してなされたもので、レンズ鏡筒の突出によりレンズ鏡筒に対する荷重が多少変化するようなことがあっても、ズーム位置を的確に検出し、またフォーカス初期位置がずれることのないようにしたズームカメラを提供することを目的とする。
【０００８】
【課題を解決するための手段】
上記目的を達成するために、本発明のズームカメラは、ズーム操作に応答してモータを駆動し、このモータの回転により変倍鏡筒を駆動して撮影レンズのズーミングを行うとともに、ファインダ中の一部のレンズを光軸方向に移動させるカム板を移動してファインダのズーミングを行うようにしたズームカメラにおいて、撮影レンズのズーミングを行ったときに、互いに摺接しながら相対的に移動するエンコード板とブラシとからズーム位置検出装置を構成し、エンコード板又はブラシの一方を前記カム板に一体に固着したことを特徴とする。
【０００９】
また、前記変倍鏡筒がカメラボディに固定された固定筒の内部で光軸を中心に回動して撮影レンズのズーミングが行われ、前記エンコード板を固着したカム板が前記固定筒の外周面に沿って光軸を中心とする回転方向に移動することが好ましい。
【００１０】
【発明の実施の形態】
図１は、本発明を実施したズームカメラの外観斜視図である。ズームカメラ２の前面中央にはレンズ鏡筒３が配置されている。レンズ鏡筒３内には、ズーム光学系を構成する撮影レンズ４と、電子シャッタとが組み込まれている。さらにズームカメラ２の上面には、シャッタボタン５、各種情報が表示される液晶パネル６、各種設定を行う設定スイッチ７等が設けられている。そして、背面に設けられた電源スイッチ８がオンされると、レンズ鏡筒３はズームカメラ２の前面に突出され、電源スイッチ８がオフされるとズームカメラ２内に沈胴される。また、ズームボタン９の操作に応じて突出量が変化して、焦点距離が変化する。
【００１１】
図２及び図３は、本発明を実施したズームカメラの内部構成を示す分解斜視図及び正面図である。ズーム用モータ１０は、ズームレンズ装置１２、及びズームファインダ装置１４の駆動源となる。ズーム用モータ１０の回転駆動は、ズーム用ギヤ列１６によりズームレンズ装置１２に入力される。ズームレンズ装置１２は、固定筒１８、及び固定筒１８にヘリコイド結合されたレンズ鏡筒３、及び鏡筒駆動ギヤ２０からなり、鏡筒駆動ギヤ２０にズーム用モータ１０の回転駆動が伝達されることでレンズ鏡筒３が固定筒１８に対して繰り出し、及び沈胴を行う。
【００１２】
また、ズーム用モータ１０の近傍には、フォトインタラプタ２２が組み込まれており、回転板２４の回転を検出する。回転板２４と同軸に固着された回転検出用ギヤ２６には、ズーム用ギヤ列１６の一部のギヤ１６ａを介して、ズーム用モータ１０の回動が伝達される。ズーム用モータ１０の回転軸１０ａに固着された平ギヤ２８と、回転検出用ギヤ２６とは、同一の直径で、同じ歯数を有しており、これらはともにギヤ１６ａと噛み合うため、回転板２４は、ズーム用モータ１０とほぼ同じ回転数で回転する。これにより、フォトインタラプタ２２は、ズーム用モータ１０の単位回転を検出し、この検出信号を図示しないＣＰＵに入力する。
【００１３】
ズーム用モータ１０の駆動力は、ズーム用ギヤ列１６、ファインダ用連動機構３０を介してズームファインダ装置１４に入力される。ズームファインダ装置１４はズームレンズ装置１２の変倍動作に連動して光軸方向に移動する移動レンズ３２を備えている。移動レンズ３２にはカムフォロワである爪部３６がファインダ駆動用カム３４に係合するように設けられており、ファインダ駆動用カム３４の回動にしたがって移動レンズ３２が光軸方向に移動する。ファインダ駆動用カム３４にはファインダ駆動用ギヤ３８が一体となって設けられており、ズームレンズ装置１２の変倍動作に連動して、ファインダ駆動用ギヤ３８が回動することによって一体に設けられたファインダ駆動用カム３４が回動する。ファインダ駆動用カム３４の回動にしたがって移動レンズ３２が光軸方向に移動することによりファインダ倍率が変更される。
【００１４】
ファインダ用連動機構３０は、入力ギヤ４０、中間ギヤ列４２、ファインダ駆動用ギヤ３８、及びファインダ駆動用カム３４からなるギヤ列である。その入力ギヤ４０がズーム用ギヤ列１６の一部のギヤに噛合しており、またファインダ駆動用ギヤ３８には、ファインダ駆動用カム３４が一体に設けられている。入力ギヤ４０と、ファインダ駆動用ギヤ３８との間に中間ギヤ列４２が配置されており、ズーム用ギヤ列１６からの回動をファインダ駆動用ギヤ３８へ伝達する。
【００１５】
なお、ズーム用ギヤ列１６の前面には、略板形状のズーム用ギヤカバー５０が取り付けられており、中間ギヤ列４２は、ズーム用ギヤカバー５０に取り付けられるファインダ用ギヤカバー５２によって、その前面が覆われる。
【００１６】
ファインダ駆動用ギヤ３８及びファインダ駆動用カム３４を一体に取り付けるための基板４４は、固定筒１８の外周面に合わせた円弧形状をしており、基板４４上にはさらにコード板４６が設けられている。このコード板４６には、導電部４６ａと非導電部４６ｂとの組み合わせによって、レンズ鏡筒３の各ズーム位置位置及び各ズーム位置ごとのフォーカス初期位置を表すビット情報が記されている。コード板４６に接触するブラシ部材４８がズームファインダ装置１４に設けられており、ファインダ駆動用カム３４の回動にしたがってコード板４６が回動すると、ブラシ部材４８との相対位置に応じたビット情報がブラシ部材４８を介してＣＰＵに出力される。このように、ファインダ駆動用カム３４と一体にコード板４６を設け、ブラシ部材４８をズームファインダ装置１４に設けたので、レンズ鏡筒３の可動鏡筒が撓むことによるコード板４６とブラシ部材４８との摺接位置の変化が発生することがなく、レンズ鏡筒３が突出してもズーム位置を的確に検出することができる。
【００１７】
上記構成の作用について説明する。ズームカメラ２のズームボタン９を操作すると、ズーム用モータ１０が回転し、ズーム用ギヤ列１６を介してズームレンズ装置１２に回転駆動が伝達され、レンズ鏡筒３が固定筒１８に対して繰り出し及び沈胴を行う。ズーム操作の方向がテレ側であるときにはズーム用モータ１０は正転し、ワイド側であるときにはズーム用モータ１０は逆転する。このとき、回転板２４及びフォトインタラプタ２２の働きによりズーム用モータ１０の単位回転を検出してＣＰＵに出力している。
【００１８】
ズーム用モータ１０の回転は、さらにズーム用ギヤ列１６及びファインダ用連動機構３０を介してズームファインダ装置１４に入力され、移動レンズ３２が光軸方向に移動することによってファインダ倍率が変更される。このとき、ズームレンズ装置１２及びズームファインダ装置１４にズーム用モータ１０による同一の回転駆動を与えているので、レンズ鏡筒３の繰り出し量に応じて移動レンズ３２が移動している。
【００１９】
またこのとき、ファインダ用連動機構３０の一部をなしているファインダ駆動用カム３４に一体に取り付けられたコード板４６が回動することにより、ズームファインダ装置１４に設けられたブラシ部材４８とコード板４６との相対位置が変化している。
【００２０】
ズームボタン９の操作が終了した後、シャッタボタン５を押圧操作するとフォーカシングが開始される。ＣＰＵは被写体距離に基づいてレンズ鏡筒３の繰り出し量に対応するパルス数を決定し、基準ズーム位置からレンズ鏡筒３を繰り出してフォーカス初期位置を検出した後、フォトインタラプタ２２からのパルス信号を検出し、パルス信号が決定されたパルス数に達した時点でレンズ鏡筒３の繰り出しを停止する。
【００２１】
コード板４６をファインダ駆動用カム３４に一体に取り付け、ブラシ部材４８をズームファインダ装置１４に設けているので、フォーカシング時にレンズ鏡筒３の突出によって可動鏡筒が撓んでいてもコード板４６とブラシ部材４８との摺接位置の変化が発生することがない。したがってズーム位置を的確に検出することができるとともに、フォーカス初期位置がずれることもないため、ピントの正確な撮影を行うことができる。
【００２２】
上記実施形態では、ファインダ駆動用カムにコード板を一体に取り付け、ズームファインダ装置にブラシ部材を設けているが、本発明はこれに限定されるものではなく、例えばファインダ駆動用カムにブラシ部材を一体に取り付け、固定筒にコード板を設けることによっても、固定筒の外周上に専用のスペースを設けることなくレンズ鏡筒の繰り出し量を検出することができる。
【００２３】
また、上記実施形態では、レンズ鏡筒と連動するファインダ駆動用カムに本発明を適用したが、本発明はファインダ駆動用カムに対する適用に限定されるものではなく、例えばレンズ鏡筒と連動してストロボの照射角を調節する連動カムに適用してもよいし、ファインダとストロボの両方を駆動する連動カムに適用してもよい。
【００２４】
【発明の効果】
以上説明したように、本発明のズームカメラによれば、エンコード板とブラシとからズーム位置検出装置を構成し、エンコード板又はブラシの一方を前記カム板に一体に固着したので、レンズ鏡筒の可動鏡筒が撓むことによるエンコード板ブラシとの摺接位置の変化が発生することがなく、レンズ鏡筒が突出してもズーム位置を的確に検出することができる。
【図面の簡単な説明】
【図１】本発明を実施したズームカメラの外観斜視図である。
【図２】本発明を実施したズームカメラの内部構成を示す分解斜視図である。
【図３】本発明を実施したズームカメラの内部構成を示す正面図である。
【符号の説明】
２  ズームカメラ
３  レンズ鏡筒
９  ズームボタン
３４  ファインダ駆動用カム
４６  コード板
４８  ブラシ部材
【図１】
2004302330.tif 000003
【図２】
2004302330.tif 000004
【図３】
2004302330.tif 000005